【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
第１始動口への入賞が生じたことにもとづく可変表示の実行条件が成立したことにもとづいて第１識別情報の可変表示を開始し表示結果を導出表示する第１可変表示手段と、第２始動口への入賞が生じたことにもとづく可変表示の実行条件が成立したことにもとづいて第２識別情報の可変表示を開始し表示結果を導出表示する第２可変表示手段を有し、前記第１可変表示手段と前記第２可変表示手段のいずれかに特定表示結果が導出表示されたときに遊技者にとって有利な特定遊技状態に移行させる遊技機であって、
遊技進行状態を示すデータにもとづいて遊技の進行を制御する遊技制御手段と、
前記第１可変表示手段における第１識別情報の可変表示または前記第２可変表示手段における第２識別情報の可変表示に対応する表示演出を行う演出表示装置と、
前記遊技制御手段が送信した演出内容を指示するコマンドにもとづいて、前記演出表示装置の制御を行う演出制御手段と、
前記特定遊技状態において開放状態に変化可能な可変入賞球装置と、
該可変入賞球装置に入賞した遊技球を検出して検出信号を出力する遊技球検出手段とを備え、
前記遊技制御手段は、
前記第１始動口への入賞が生じたことを特定する処理と前記第２始動口への入賞が生じたことを特定する処理を同一の処理ルーチンにて実行し、特定された始動口への入賞に対応する判定用数値であって少なくとも前記特定遊技状態に移行させるか否かを判定するための数値を含む判定用数値を数値記憶手段に格納する入賞時処理を実行する入賞時処理実行手段と、
前記入賞時処理実行手段が前記第１始動口への入賞が生じたことを特定したときに第１実行条件の成立数を計数する第１計数手段と、
前記入賞時処理実行手段が前記第２始動口への入賞が生じたことを特定したときに第２実行条件の成立数を計数する第２計数手段と、
前記第１可変表示手段および前記第２可変表示手段で識別情報の可変表示が実行されていないことを条件として、前記第１実行条件が成立したことにもとづく前記第１可変表示手段での第１識別情報の可変表示を開始する第１可変表示開始手段と、
前記第１可変表示手段および前記第２可変表示手段で識別情報の可変表示が実行されていないことを条件として、前記第２実行条件が成立したことにもとづく前記第２可変表示手段での第２識別情報の可変表示を開始する第２可変表示開始手段と、
前記第１可変表示手段における第１識別情報の可変表示時間を決定する第１可変表示時間決定手段と、
前記第２可変表示手段における第２識別情報の可変表示時間を決定する第２可変表示時間決定手段とを含み、
前記第１可変表示時間決定手段と前記第２可変表示時間決定手段のそれぞれは、前記第１計数手段が計数する成立値と前記第２計数手段が計数する成立値との和である合計成立数が所定数以上であるときに、該合計成立数が所定数未満であるときに比べて短縮した可変表示時間に決定し、
前記遊技制御手段は、
前記遊技球検出手段からの前記検出信号を入力したか否かを判定する入賞判定手段と、
前記遊技進行状態を示すデータが前記特定遊技状態以外の状態に対応する所定範囲の数値を示しているときに前記入賞判定手段が前記検出信号を入力したと判定したことにもとづいて、異常報知の実行を指示するための異常報知コマンドを送信する異常報知コマンド送信手段とを含み、
前記演出制御手段は、前記異常報知コマンド送信手段が送信した前記異常報知コマンドにもとづいて、遊技機に設けられている演出用装置により異常報知を実行する異常報知手段を含み、
該異常報知手段は、前記演出表示装置において表示演出が実行されているときにも異常報知を実行する
ことを特徴とする遊技機。
【手続補正２】
【補正対象書類名】明細書
【補正対象項目名】００１１
【補正方法】変更
【補正の内容】
【００１１】
本発明による遊技機は、第１始動口（例えば、第１始動入賞口１３）への入賞が生じたことにもとづく可変表示の実行条件が成立したことにもとづいて第１識別情報（例えば、第１特別図柄）の可変表示を開始し表示結果を導出表示する第１可変表示手段（例えば、第１特別図柄表示器８ａ）と、第２始動口（例えば、第２始動入賞口１４）への入賞が生じたことにもとづく可変表示の実行条件が成立したことにもとづいて第２識別情報（例えば、第２特別図柄）の可変表示を開始し表示結果を導出表示する第２可変表示手段（例えば、第２特別図柄表示器８ｂ）を有し、第１可変表示手段と第２可変表示手段のいずれかに特定表示結果（例えば、大当り図柄）が導出表示されたときに遊技者にとって有利な特定遊技状態（例えば、大当り遊技状態）に移行させる遊技機であって、遊技進行状態を示すデータにもとづいて遊技の進行を制御する遊技制御手段（例えば、遊技制御用マイクロコンピュータ５６０）と、第１可変表示手段における第１識別情報の可変表示または第２可変表示手段における第２識別情報の可変表示に対応する表示演出を行う演出表示装置（例えば、演出表示装置９）と、遊技制御手段が送信した演出内容を指示するコマンド（例えば、演出制御コマンド）にもとづいて、演出表示装置の制御を行う演出制御手段（例えば、演出制御用マイクロコンピュータ１００）と、特定遊技状態において開放状態に変化可能な可変入賞球装置（例えば、大入賞口）と、該可変入賞球装置に入賞した遊技球を検出して検出信号を出力する遊技球検出手段（例えば、カウントスイッチ２３）とを備え、遊技制御手段は、第１始動口への入賞が生じたことを特定する処理と第２始動口への入賞が生じたことを特定する処理を同一の処理ルーチンにて実行し、特定された始動口への入賞に対応する判定用数値（例えば、乱数値）であって少なくとも特定遊技状態に移行させるか否かを判定するための数値（例えば、ランダムＲ）を含む判定用数値を数値記憶手段（例えば、ＲＡＭ５５）に格納する入賞時処理（例えば、ステップＳ２１７の処理）を実行する入賞時処理実行手段（例えば、遊技制御用マイクロコンピュータ５６０において、ステップＳ２１１〜Ｓ２１９の処理を実行する部分）と、入賞時処理実行手段が第１始動口への入賞が生じたことを特定したときに第１実行条件の成立数を計数する第１計数手段（例えば、遊技制御用マイクロコンピュータ５６０において、始動口ポインタに「第１」を示すデータが設定されているときにステップＳ２１４の処理を実行する部分）と、入賞時処理実行手段が第２始動口への入賞が生じたことを特定したときに第２実行条件の成立数を計数する第２計数手段（例えば、遊技制御用マイクロコンピュータ５６０において、始動口ポインタに「第２」を示すデータが設定されているときにステップＳ２１４の処理を実行する部分）と、第１可変表示手段および第２可変表示手段で識別情報の可変表示が実行されていないことを条件として、第１実行条件が成立したことにもとづく第１可変表示手段での第１識別情報の可変表示を開始する第１可変表示開始手段（例えば、遊技制御用マイクロコンピュータ５６０において、特別図柄ポインタに「第１」を示すデータが設定されているときにステップＳ１０６の処理を実行する部分）と、第１可変表示手段および第２可変表示手段で識別情報の可変表示が実行されていないことを条件として、第２実行条件が成立したことにもとづく第２可変表示手段での第２識別情報の可変表示を開始する第２可変表示開始手段（例えば、遊技制御用マイクロコンピュータ５６０において、特別図柄ポインタに「第２」を示すデータが設定されているときにステップＳ１０６の処理を実行する部分）と、第１可変表示手段における第１識別情報の可変表示時間を決定する第１可変表示時間決定手段（例えば、遊技制御用マイクロコンピュータ５６０において、特別図柄ポインタに「第１」を示すデータが設定されているときにステップＳ１００〜Ｓ１０３の処理を実行する部分）と、第２可変表示手段における第２識別情報の可変表示時間を決定する第２可変表示時間決定手段（例えば、遊技制御用マイクロコンピュータ５６０において、特別図柄ポインタに「第２」を示すデータが設定されているときにステップＳ１００〜Ｓ１０３の処理を実行する部分）とを含み、第１可変表示時間決定手段と第２可変表示時間決定手段のそれぞれは、第１計数手段が計数する成立値と第２計数手段が計数する成立値との和である合計成立数が所定数（例えば４）以上であるときに、該合計成立数が所定数未満であるときに比べて短縮した可変表示時間に決定し（例えば、ステップＳ１０１〜Ｓ１０３の処理を実行する）、遊技制御手段は、遊技球検出手段からの検出信号を入力したか否かを判定する入賞判定手段（例えば、遊技制御用マイクロコンピュータ５６０において、ステップＳ５８６の処理を実行する部分）と、遊技進行状態を示すデータが特定遊技状態以外の状態に対応する所定範囲の数値を示しているときに入賞判定手段が検出信号を入力したと判定したことにもとづいて、異常報知の実行を指示するための異常報知コマンドを送信する異常報知コマンド送信手段（例えば、遊技制御用マイクロコンピュータ５６０において、ステップＳ５８５〜Ｓ５８７の処理を実行する部分）とを含み、演出制御手段は、異常報知コマンド送信手段が送信した異常報知コマンドにもとづいて、遊技機に設けられている演出用装置により異常報知を実行する異常報知手段（例えば、演出制御用マイクロコンピュータ１００において、ステップＳ９７６〜Ｓ９７９の処理を実行する部分）を含み、該異常報知手段は、演出表示装置において表示演出が実行されているときにも異常報知を実行する（例えば、演出制御用マイクロコンピュータ１００において、ステップＳ８３５Ａ，Ｓ８３５Ｃの処理を実行する）ことを特徴とする。そのような構成によれば、第１始動口への入賞が生じたか否かを判定する処理と第２始動口への入賞が生じたか否かを判定する処理とを同一の処理とすることができ、２つの可変表示手段での可変表示の開始制御に関わる遊技制御手段におけるプログラム容量を軽減することができる。また、遊技制御手段は、第１計数手段によって計数された成立数と第２計数手段によって計数された成立数との合計に対応する合計数が所定数以上のときには、合計数が所定数未満であるときに比べて可変表示時間を短縮するので、合計数が所定値以上であるときに、第１可変表示手段と第２可変表示手段とのうちのいずれか一方の可変表示手段で短縮変動が行われ、他方の可変表示手段では短縮変動が行われない事態が発生することを防止できる。また、演出制御手段が、異常報知コマンド送信手段が送信した異常報知コマンドにもとづいて、遊技機に設けられている演出用装置により異常報知を実行する異常報知手段を含み、該異常報知手段は、演出表示装置において表示演出が実行されているときにも異常報知を実行するように構成されているので、異常入賞が生じたことを報知することができる。